(57)【特許請求の範囲】
【請求項１】
ケーブル接続部の周囲を覆い、かつ径方向に分割または分離自在の筒状ケースと、該筒状ケースの両端面部にケーブルを導出入する端面シール部材と底板とを備えたケーブル接続用ケースにおいて、端面シール部材が一対の弾性端面板を重合したものからなり、この対向する両弾性端面板にそれぞれ大小径差をつけて複数のケーブル嵌挿孔と、架空配線若しくは基線などの支持線嵌挿孔と、各嵌挿孔の周囲に端面板肉厚部位の一部を連続させた状態でリング状の分離スリットとをそれぞれ設けると共に、該端面板肉厚部位の連続部分で各分離スリットの内周囲に間隔をあけてそれぞれ分離スリットより小径のリング状の切離用Ｖ溝が形成され、引き裂れた孔周囲に薄肉の押え片が孔中心に向って突設されることを特徴とするケーブル接続用ケースにおける端面シール部材。
【請求項２】
前記端面シール部材が、支持線嵌挿孔とケーブル嵌挿孔との間に連通するスリットを設け、さらに各ケーブル嵌挿孔から弾性端面板の外側端に連通するケーブル挿入用のスリットをそれぞれ備えられている請求項１記載の端面シール部材。
【請求項３】
前記端面シール部材が、弾性端面板の重合対向面に係止用突起と嵌合凹部とを対設され下端部にケースの底板に嵌合する段付部を備えている請求項１または２記載の端面シール部材。
【請求項４】
前記筒状ケースが、その両端面に側壁部を一体に成形し、該側壁部の中央部に形成した分割間隙部の嵌合溝に前記弾性端面板を係脱自在に嵌合配備しケース底板の両端に突設した側板に嵌合させた請求項１，２または３記載の端面シール部材。
【発明の詳細な説明】
【０００１】
【発明の属する技術分野】
本発明は、光ケーブルやメタルケーブルの通信ケーブルの接続分岐配線するための接続部を保護収容するケーブル接続用ケースにおける端面シール部材に関するものである。
【０００２】
【従来の技術】
一般に、ケーブル接続装置は、コネクタを含むケーブル接続部を被包して保護する収容凾体が用いられるが、この収容凾体は縦割りの筒状ケースと、該ケースの両端面を閉塞しケーブルを挿通する端面部とからなり、ケースの分割面を突き合わせて取付ネジまたはバンドなどの固定手段で連結して密着一体化し、ケーブル接続部を気密状態に維持する構造のものが知られている。
【０００３】
そして、支持線若しくは架空配線や基線のケーブルの出入孔に使用される端面部に於ては、従来はあらかじめ準備された嵌挿孔（適用ケーブルの最大径）に細径ケーブルを取り付ける場合、端面部嵌挿孔とケーブル間の隙間をスペーサ、又は一定厚さのゴムテープを巻回すると共に、気密性、水密性を確保するためにシーリングテープを合せて使用しているタイプがあり、その他にテーパ状の筒を持つ端面部を用い、ケーブル径に対応し現地にてテーパ部の所定位置を切断して使用されるタイプがある。このタイプもケーブルとの接合部はシール性を考慮してシーリングテープやＰＶＣテープによって固定する方法がとられていた。
【０００４】
【発明が解決しようとする課題】
ところが、各種ケーブルの出入孔を水密性確保にシールするための従来方法であると、部品的にケーブル対応でスペーサを要したり、ゴムテープ、シーリングテープを巻回するなどで作業が煩雑であり、ケーブルの増設、保守時には特にシーリングテープの除去交換等がやっかいであり、しかもテーパ状端面部やスペーサ、ゴムテープ等の交換が必要となって作業時間や補修費のロスが生じ問題であった。
本発明は、これら従来の欠点を排除しようとするもので、異径の各種ケーブルに対応して端面板にある分離スリットの切除によりケーブル嵌挿孔を形成してケーブルの収容凾体の出入にシーリングテープなしで安全に適用でき、組立、解体作業時間も大幅に短縮化し、しかもケーブルの増設、保守時にも部品等の交換もなく低コストで対応できるケーブル接続用ケースにおける端面シール部材を構成簡単で安価な形態で提供することを目的とするものである。
【０００５】
【課題を解決するための手段】
本発明は、ケーブル接続部の周囲を覆い、かつ径方向に分割または分離自在の筒状ケースと、該筒状ケースの両端面部にケーブルを導出入する端面シール部材と底板とを備えたケーブル接続用ケースにおいて、端面シール部材が一対の弾性端面板を重合したものからなり、この対向する両弾性端面板にそれぞれ大小径差をつけて複数のケーブル嵌挿孔と、架空配線若しくは基線などの支持線嵌挿孔と、各嵌挿孔の周囲に端面板肉厚部位の一部を連続させた状態でリング状の分離スリットとをそれぞれ設けると共に、該端面板肉厚部位の連続部分で各分離スリットの内周囲に間隔をあけてそれぞれ分離スリットより小径のリング状の切離用Ｖ溝が形成され、引き裂れた孔周囲に薄肉の押え片が孔中心に向って突設されるものである。
【０００６】
【発明の実施の形態】
本発明の実施例では、ケーブルの接続にはケースを底板より取り外して底板上のケーブル接続部を露出させてから、ケーブル把持金具にケーブルを接続し、さらに、ケーブル外皮を円周方向に研磨して、スペーサを嵌装したのちテンションメンバ把持金具を添わせて取付ボルトで均等に締め付ける。
次いで、端面シール部材にある異径の分離スリットの一つをケーブル径に対応して選んで切除して押え片のあるケーブル嵌挿孔を形成してから、両弾性端面板を重合一体化してケーブルをケーブル挿入用スリットから前記ケーブル嵌挿孔に装入して、該端面シール部材をケーブル上に配備し、この端面シール部材に前記ケースをヒンジ部を中心として両端部を拡開させながらケース側壁部の凹溝を嵌入して連結し、さらに底板にケースの両端縁部を嵌着すると共に、端面シール部材をも密着固定化し、取付け姿勢を安定強固にし、かつ、ケースに備えられたロック機構を締結して密封性も大幅に高めて、安全に用いられるものである。
【０００７】
前記ケーブル嵌挿孔にケーブルを装入する際に、ケーブル径が大きい場合にはケーブル嵌挿孔の周囲にある同等寸法径のスリットの残存肉部位を現場にて分離スリットから切離用Ｖ溝にわたり切除して孔周囲に押え片のあるケーブル嵌挿孔を開口対応させ、ケーブル装入組立後に水密性を確保できる。特にケーブルの外周に押え片が密着包被し、大小径差のあるケーブル嵌挿孔によりシーリングテープなしでケーブルの水密性確保を容易にし、各異径のケーブルの出入対応も簡単にでき、シーリングテープは不要であるため大幅な組立、解体作業時間が短縮化が図れ、増設、保守時に於ても部品等の交換不要でコストの大幅な低減も図れることになる。
【０００８】
【実施例】
本発明を図１乃至図７の例で説明すると、光ケーブル接続部１の周囲を被包する筒状ケース２が、軸方向に沿設されたヒンジ部３と、該ヒンジ部３に対向配備された分割端縁部４，４とを備えて、縦割りに拡開自在に構成され、該筒状ケース２の両端面に側壁部５を一体に形成し、該側壁部５の中央部にケーブルを嵌挿する端面シール部材６を係脱自在に嵌合配備すると共に、前記筒状ケース２の両端縁部４，４を底板７に嵌合配備して、即ち、両端縁部４の凹溝に底板７を嵌合し、かつ両端縁部４の鉤状凸部を底板７の係止用突部に掛止して密着一体化でき、前記端面シール部材６を筒状ケース２に嵌着保持したケーブル接続用ケースとし、前記端面シール部材６が、一対の弾性端面板６１  ，６１  をヒンジ部６２  で折曲重合自在に連設したものからなり、該弾性端面板６１  ，６１  にケーブル嵌挿孔１２，１３と支持線嵌挿孔１４とを互に大小径差をつけて備え、このケーブル嵌挿孔１２，１３及び支持線嵌挿孔１４の周囲に端面板肉厚部位の一部をそれぞれ残して連続した状態で異径の分離スリット１２１  ，１２２  ，１２３  ，１３１  ，１３２  ，１３３  ，１４１  ，１４２  を複数同心円状または偏心円状に設けると共に、対向する前記弾性端面板６１  ，６２  に前記嵌挿孔１２，１３，１４及び分離スリット１２１  ，１３１  ，  １４１  にそれぞれ大小径差をつけて配備し、さらに端面板肉厚部位の連続部分で各分離スリットの内周囲、即ち各分離スリットより小径のリング状の切離用Ｖ溝１２ａ，１３ａ，１４ａをそれぞれ形成して分離スリット１２１  ，１３１  ，１４１  を切除すると、切離用Ｖ溝１２ａ，１３ａ，１４ａにわたって引き裂かれて孔周囲に薄肉の押え片１６が孔中心に向って突設されるようにした端面シール部材としてある。
前記筒状ケース２は、円筒体または角筒体であって、その側壁部５としては上下方向に嵌合溝８を形成した分割間隙部９を備え、端面板６１  と前記底板７の両端に突設した側板１１とを嵌装するようになっていて、前記端面シール部材６の外周縁を高密度に当接一体化できるようにしてある。
【０００９】
また、前記端面シール部材６は、互に重合対向する弾性端面板６１  ，６１  の接合面に係止用突起１０と嵌合凹部１０１  を備えると共に、下端部に底板７に嵌合する段付部１０２  を形成し、光ケーブル嵌挿孔１２，１３と、架空配線若しくは基線などの支持線嵌挿孔１４とを形成した弾性端面板６１  であって、該支持線嵌挿孔１４とケーブル嵌挿孔１３との間に連通するスリット１５１  を設け、さらに各ケーブル嵌挿孔１２，１３から弾性端面板６１  の外側端に連通するケーブル挿入用スリット１５をそれぞれ備えていてケーブル等配線の挿入を簡易に行ない、挿入後はスリットが密接してシール性を適確に保つようにしてある。
【００１０】
さらに、前記端面シール部材６が、不使用のケーブル嵌挿孔１２は分離スリット１２１  を切除しないで用い、使用時には切除して貫通孔のケーブル嵌挿孔として用い、その内周面に凸条からなるリング状の押え片１６を形成して光ケーブル嵌挿時にシール性を確実にしてある。
【００１１】
前記底板７としては、前記端面シール部材６の下端を嵌合する凹溝１１１  を形成した側板１１を両端に立設したものであって、脚片２６を有し、該側板１１を前記筒状ケース２の側板５の嵌合溝８に嵌入し、かつケースの分割端縁部４，４に底板両側端を嵌着するものを用いるのがよい。（図３）
【００１２】
なお、前記端面シール部材６のケーブル嵌挿孔１２に幹線光ケーブルが、挿通されてケーブル把持金具２１で固定されていて、該ケーブルのテンションメンバは支持クランプのテンションメンバ把持金具２０に接続連結されている（図４乃至図６）。
前記分割ケース２は円筒状のハウジングで、軸方向に沿って片側が分離接合面で二つに分割できるようにしたもので、合成樹脂、例えばＰＰ樹脂或いは難燃性のＦＲＰＰなどから構成され、軸方向に縦割りに二分割する突き合わせ接合面と、該ケース２の両端に、前記ケーブル接続部の両側のケーブルを貫通する端面シール部材６とを備え、該端面シール部材６を側壁部５に締め付けロックバー２２で連結できるようにしてあり（図７）、この対面する接合面を含み、前記ケース２の分割接合面にガスケットを嵌合挟持しうる凹溝の嵌合溝８を備えると共に、底板７の内面に、ケーブル外周に沿う押え挟持片からなるケーブル把持金具２１のテンションメンバ把持金具２０および屋外線把持金具２３とを設けた連結金具１９を固定装備し、さらに必要に応じ前記ケース２の外周にネジからなる締結具のあるバンド（図示せず）を着脱自在に巻回配備してもよいが、ケース両端縁と底板とを突起または凹溝を対応する部材で嵌装する方法でワンタッチで締結するか、ケース外周にネジからなる締結具で一体化して、分離面での密封性を高められて連結できるようにしてある。
【００１３】
なお、前記ケーブル嵌挿孔１２、１３などで形成される貫通孔には、その周囲に分離スリット１２１，１３１がそれぞれあるので、スペーサ或いはエアタイトテープを巻き付けることなくケーブル径対応で選んだスリットを切取り、重合された端面板の内外側で異径孔とした嵌挿孔によりケーブルの外周面を密着できる。
前記支持線嵌挿孔１４とケーブル嵌挿孔１３とはスリット１５１  で連通していて、支持線とケーブルの接続部が被覆体で連続しているケーブルタイプと、連結片で間隔をおいて接続しているケーブルタイプとのいずれのケーブルについても使用できるようにしてある。即ち、一対の弾性端面板６１  ，６１  はヒンジ部６２  より折曲げて重合して用いられ、厚さの半分となる一方の弾性端面板６１  には支持線嵌挿孔１４と基線ケーブル嵌挿孔１３との間に隙間のないスリットが入っていて、他の半分の弾性端面板６１  は若干隙間をあけたスリットが設けてあるが、両方とも隙間のないスリットを設けることもできる。この場合、支持線とケーブルとの接続部が被覆体で連続しているケーブルタイプは必要に応じ分離して組み立てて用いる。さらに、前者の弾性端面板６１  は他方に対して小径の嵌挿孔を設け、全体若しくは一部の硬度が著しく低い（硬度０）ゴムで、後者の弾性端面板６１  は、他方に対して大径の嵌挿孔を設け、かつ外圧等に耐え得る硬度（硬度３０）のゴムとなっていて、前記構造と硬度の差とにより、前者のケーブルの場合、支持線とケーブルとの間に接続部があっても一方の半分が硬度が低いためにケーブル接続部の厚み分だけ押し拡げることとなって、他方の半分はケーブル接続部に適応する形状としてあることにより組立後の水密性が確保される。また後者の支持線付きケーブルの場合、硬い方の弾性端面板６１  が外側となるように組立てることで内側の硬度の低い弾性端面板６１  の方で水密性を確保することとなるし、大小径の嵌挿孔の組合せでケーブルの変位にも十分水密性を保持して用いられる。
【００１４】
この場合、前記端面シール部材６の一方の弾性端面板６１  を硬度０のゴムで、また他方の弾性端面板６１  を硬度３０のゴムで作成するか、一方の弾性端面板６１  の外側を硬度３０で、かつ内側特に嵌挿孔の周囲を硬度０のゴムを積層させるか或いは、一方の弾性端面板６１  の支持線嵌挿孔１４とケーブル嵌挿孔１３との間周辺を硬度０のゴムを部分的に要求特性上最小限に用いて一体成形しても、またゴムに代えて合成樹脂で単独または併用して弾性端面板６１  を作成することができるが、前記弾性端面板６１  を適度な硬度例えばショア硬度５〜２０度とすることで、両者共に近似した硬度で端面板をつくることもできる。
ケーブル径や支持線径は種々あるので、各ケーブルに対応する数本のスリットを端面板６１  の厚さ方向の途中まで入れてあり、現場にて切り落すことで選ばれた嵌合孔径にしてケーブル径に対応して合わせられるようになっている。
【００１５】
なお、前記端面シール部材６は、一対の弾性端面板６１  ，６１  をヒンジ部６２  で全長または部分的に連設してあるが、分離した弾性端面板６１  ，６１  を一対重合し一体化して用いられるようにすることもできる。
【００１６】
図８乃至図１２の実施例では、一対の弾性端面板６１  ，６１  をヒンジ部６２  で折曲げ重ねた端面シール部材６にケーブル嵌挿孔１３及び支持線嵌挿孔１４を備えて、分離スリット１３１  を複数形成し、かつ周側面からケーブル嵌挿孔１３に連通するスリット１５を設けると共に、下端部にケースの底板７に嵌合する段付部１０２  を形成したもので、該底板７に突設した側板１１に端面シール部材６が嵌着されてケースへの密封性を高めた形態としたものである。
この実施例では、前例と同様な構成となっていて、カマボコ形ケースを高密度収容ケースとし内部構造は、屋外線把持金具２３を備え、さらにファイバ芯線を入れる収納シートを収容する余長収納ケースを多数装入できる棚収容方式のコード収納部及びコネクタホルダーを備えた構成からなっている。
ケース２は、その底面に底板７を着脱自在に嵌着するもので、ケース２の内周面に補強用リブ２１  を間隔をあけて複数突設すると共に、底板７はケース２の端縁に形成したガイド溝に嵌合し、ケース２と底板７とに突設した一直線状に接続される継合レール７１  にスナップ７０を係脱自在に設けて一体締結できるようにし、分離面での密封性が高められロックできるように考慮されている。
なお、前記底板７上にはケーブル把持金具２１が取付片２１１  で固着され連結杆２１２  で他端例のケーブル把持金具と接続されている。
【００１７】
この場合も、前記対向する弾性端面板６１  ，６１  のケーブル嵌挿孔１３及び支持線嵌挿孔１４はそれぞれ大小径差をつけて配備され、かつ分離スリット１３１  も大小径差がつけられて設けられている。また薄肉の押え片が嵌挿孔周りに突設されるように、リング状の切離用Ｖ溝（図示せず）を形成してある。
【００１８】
【発明の効果】
本発明は、ケーブル接続部の周囲を覆い、かつ径方向に分割または分離自在の筒状ケースと、該筒状ケースの両端面部にケーブルを導出入する端面シール部材と底板とを備えたケーブル接続用ケースにおいて、端面シール部材が一対の弾性端面板を重合したものからなり、この対向する両弾性端面板にそれぞれ大小径差をつけて複数のケーブル嵌挿孔と、架空配線若しくは基線などの支持線嵌挿孔と、各嵌挿孔の周囲に端面板肉厚部位の一部を連続させた状態でリング状の分離スリットとをそれぞれ設けると共に、該端面板肉厚部位の連続部分で各分離スリットの内周囲に間隔をあけてそれぞれ分離スリットより小径のリング状の切離用Ｖ溝が形成され、引き裂れた孔周囲に薄肉の押え片が孔中心に向って突設されることにより、ケーブルの装入組立に弾性端面板の分離スリットを切除するとケーブル嵌挿孔周囲に薄肉の押え片が孔中心に向って突設されてケーブル外周に密着しやすく、ケーブル配線の水密性を確実にし、取扱い操作も安全で信頼性を高められるので異径の各種ケーブルを分離スリットの切除によりケーブル外周に容易に対応させて用いられ、ケーブルの収容凾体への出入にシーリングテープなしで安全に適用でき、組立、解体作業も容易で作業時間も大幅に短縮化し、しかもケーブルの増設、保守時にも部品等の交換もなく低コストで対応できると共に、端面シール部材のケースでの姿勢も安定し、さらにケーブルの変位にも端面シール部材が追随して水密維持を容易にして取扱い良好で、弾性端面板でのケース組立作業の容易性に役立ち、しかもケーブル接続部の収容体の変形防止を図り、安全性と気密性をも高めて信頼性を大幅に向上できるほか、作業性と生産性をも高めることができる。
【図面の簡単な説明】
【図１】本発明の実施例の展開状態を示すもので、（ａ）は正面図、（ｂ）は平面図、（ｃ）（ｄ）はそれぞれの縦断面図である。
【図２】図１の組立状態を示し、（ａ）は正面図、（ｂ）はその中央縦断面図、（ｃ）は一部の拡大縦断面図である。
【図３】図１の例の組立前の使用分離状態を示す一部切断正面図である。
【図４】図１の使用状態を示す一部切断側面図である。
【図５】図４のＡ−Ａ線における平面図である。
【図６】図４のＢ−Ｂ線における内面図である。
【図７】図４の例のケースを示し、（ａ）は外側からの正面図、（ｂ）は図４のＣ−Ｃ線における縦断面図、（ｃ）は図４のＤ−Ｄ線における縦断面図を示す。
【図８】本発明の他の実施例の端面シール部材を示し、（ａ）は展開正面図、（ｂ）は展開平面図、（ｃ）はＥ−Ｅ線における縦断面図、（ｄ）はＦ−Ｆ線における拡大縦断面図である。
【図９】図８の例の使用状態の一部切断側面図である。
【図１０】図９のＧ−Ｇ線における切断平面図である。
【図１１】図９のＨ−Ｈ線における切断内面図である。
【図１２】図９の例のケースを示し、（ａ）は正面図、（ｂ）は図９のＩ−Ｉ線における切断背面図、（ｃ）は図９のＪ−Ｊ線における切断正面図である。
【符号の説明】
１      ケーブル接続部
２      筒状ケース
３      ヒンジ部
４      分割端縁部
５      側壁部
６      端面シール部材
６１      弾性端面板
６２      ヒンジ部
７      底板
８      嵌合溝
９      分割間隙部
１０    係止用突部
１０１    係止用凹部
１１    側板
１２，１３，１４  嵌挿孔
１２１  ，１２２  ，１２３  ，１３１  ，１３２  ，１３３  ，１４１  ，１４２    分離スリット
１２ａ，１３ａ，１４ａ  切離用Ｖ溝
１５    スリット
１６    押え片
１９    連結金具
２０    テンションメンバー把持金具
２１    ケーブル把持金具
２２    ロックバー
２３    屋外線把持金具
【図１】
0003570805.tif 000002
【図２】
0003570805.tif 000003
【図３】
0003570805.tif 000004
【図４】
0003570805.tif 000005
【図５】
0003570805.tif 000006
【図６】
0003570805.tif 000007
【図７】
0003570805.tif 000008
【図８】
0003570805.tif 000009
【図９】
0003570805.tif 000010
【図１０】
0003570805.tif 000011
【図１１】
0003570805.tif 000012
【図１２】
0003570805.tif 000013